(57)【要約】  【課題】目に付き易い場所に配設しても美観の低下を招く虞の少ない興趣性の高い物品容器のホルダーを提供する。  【解決手段】物品を入れる容器を保持するホルダーにおいて、  ホルダー本体が実在又は架空のキャラクターに形成されており、  該キャラクターホルダー本体には、弾性を有する部材で形成されたアームと、このアームの先端に配設されており、前記物品容器に係合されるフックとを有する保持手段が備えられており、  更に、該キャラクターホルダー本体の上面部分には、吊下げ紐或いはフックなどで形成される吊下げ手段を有することを特徴とする物品容器のホルダーである。【選択図】      図１
0003111704.tif 000002
【実用新案登録請求の範囲】
【請求項１】
物品を入れる容器を保持するホルダーにおいて、
ホルダー本体が実在又は架空のキャラクターに形成されており、
該キャラクターホルダー本体には、弾性を有する部材で形成されたアームと、このアームの先端に配設されており、前記物品容器に係合されるフックとを有する保持手段が備えられており、
更に、該キャラクターホルダー本体の上面部分には、吊下げ紐或いはフックなどで形成される吊下げ手段を有することを特徴とする物品容器のホルダー。
【請求項２】
請求項１に記載の物品容器のホルダーにおいて、前記アームは、先端で向かい合うフックが互いに離間する方向に付勢されており、両フックが物品容器の外面に備えられている切欠部又は孔部に係合されて、アームの付勢力により、互いに離間する方向に付勢されることにより物品容器を保持する構成であることを特徴とする物品容器のホルダー。
【請求項３】
請求項１に記載の物品容器のホルダーにおいて、前記アームは、先端で向かい合うフックが互いに近接する方向に付勢されており、両フックが物品容器の側面の間隙又は孔部に係合されて、アームの付勢力により、互いに近接する方向に付勢されることにより物品容器を保持する構成であることを特徴とする物品容器のホルダー。
【請求項４】
キャラクターホルダー本体が動物の縫ぐるみであり、キャラクターホルダー本体の前肢間又は後肢間の内側にアームが内装されている構成であることを特徴とする請求項１〜３のいずれかに記載の物品容器のホルダー。
【請求項５】
アームとフックとが別体で形成されており、両者を結合することにより物品容器の保持手段が構成されることを特徴とする請求項１〜４のいずれかに記載の物品容器のホルダー。
【請求項６】
請求項１、２又は３に記載の物品容器のホルダーにおいて、前記アームとフックとが別体で形成されており、両者を結合することにより保持手段が構成されており、該フックには、物品容器の任意の位置に突き刺し可能な鋭利な部分が用意されていることを特徴とする物品容器のホルダー。
【請求項７】
物品容器が、下記グループ（Ａ）から選ばれる物品を入れるものであり、該物品に合わせた構造を有することを特徴とする請求項１〜６のいずれかに記載の物品容器のホルダー。
［グループ（Ａ）］
ゴミ（ゴミ箱、ゴミ袋、ゴミ入れ）、携帯電話機、花（造花、生花）、洗濯物（ランドリーバッグ）、眼鏡・サングラス、手紙類（はがき、封書）、ＣＤ・ＭＤ・ＤＶＤ・ＦＤ・各種メモリー類、喫煙具類（タバコ・ライター・パイプ用具類）、ペン類（筆記用具）、ブラシ・くし・手鏡、ドリンク類（ＰＥＴボトル入り、缶入り）、洗濯ばさみ・布団ばさみ、カトラリー類（フォーク・スプーン・ナイフ・箸）、靴・靴ベラ、おもちゃ、菓子類、アクセサリー類、芳香剤（消臭剤）・ポプリ、書籍類（本・雑誌・新聞類）、トイレットペーパー、ＡＶ機器リモコン、キッチンツール類（レードル・・スパチュラ・ピーラー・計量スプーン・オープナー・その他のキッチンツール）
【考案の詳細な説明】
【技術分野】
【０００１】
本考案は、ゴミ入れの如き物品容器を保持させるホルダーに関する。
【背景技術】
【０００２】
家庭や職場、或いは車内等において、ゴミ入れ（ゴミ袋、ゴミ箱）等はいつでも簡単にゴミを捨てられるような場所・位置に配されていることが好ましい。
【０００３】
特許文献１には、壁面等に取り付けたリング状体にゴミ袋の口部を被覆させた後に挟み込むことで保持させる構成が開示されている。
【０００４】
特許文献２には、折り曲げたゴミ袋の口部の一部を挟み込むと共に該口部を左右に拡開する構成が開示されている。
【０００５】
【特許文献１】特開平１０−７２１０１号
【特許文献２】特開２００４−７５２８６号
【考案の開示】
【考案が解決しようとする課題】
【０００６】
特許文献１及び２に記載の技術は、置き場所が定まっているゴミ箱とは異なり、ゴミを捨て易い任意の場所に取り付けることができる。
しかし、捨てるに便利な場所は目立つ場所でもあるために極めて目に付き易く、ゴミ入れの場合、その用途故に美観を損ねてしまうという欠点を有している。
【０００７】
そこで本考案の課題は、目に付き易い場所に配設しても美観の低下を招く虞の少ない興趣性の高い物品容器のホルダーを提供することにある。
【課題を解決するための手段】
【０００８】
上記課題を解決する本考案は、下記構成を有する。
【０００９】
１．物品を入れる容器を保持するホルダーにおいて、
ホルダー本体が実在又は架空のキャラクターに形成されており、
該キャラクターホルダー本体には、弾性を有する部材で形成されたアームと、このアームの先端に配設されており、前記物品容器に係合されるフックとを有する保持手段が備えられており、
更に、該キャラクターホルダー本体の上面部分には、吊下げ紐或いはフックなどで形成される吊下げ手段を有することを特徴とする物品容器のホルダー。
【００１０】
２．上記１に記載の物品容器のホルダーにおいて、前記アームは、先端で向かい合うフックが互いに離間する方向に付勢されており、両フックが物品容器の外面に備えられている切欠部又は孔部に係合されて、アームの付勢力により、互いに離間する方向に付勢されることにより物品容器を保持する構成であることを特徴とする物品容器のホルダー。
【００１１】
３．上記１に記載の物品容器のホルダーにおいて、前記アームは、先端で向かい合うフックが互いに近接する方向に付勢されており、両フックが物品容器の側面の間隙又は孔部に係合されて、アームの付勢力により、互いに近接する方向に付勢されることにより物品容器を保持する構成であることを特徴とする物品容器のホルダー。
【００１２】
４．キャラクターホルダー本体が動物の縫ぐるみであり、キャラクターホルダー本体の前肢間又は後肢間の内側にアームが内装されている構成であることを特徴とする上記１〜３のいずれかに記載の物品容器のホルダー。
【００１３】
５．アームとフックとが別体で形成されており、両者を結合することにより物品容器保持手段が構成されることを特徴とする上記１〜４のいずれかに記載の物品容器のホルダー。
【００１４】
６．上記１、２又は３に記載の物品容器のホルダーにおいて、前記アームとフックとが別体で形成されており、両者を結合することにより保持手段が構成されており、該フックには、物品容器の任意の位置に突き刺し可能な鋭利な部分が用意されていることを特徴とする物品容器のホルダー。
【００１５】
７．物品容器が、下記グループ（Ａ）から選ばれる物品を入れるものであり、該物品に合わせた構造を有することを特徴とする上記１〜６のいずれかに記載の物品容器のホルダー。
［グループ（Ａ）］
ゴミ（ゴミ箱、ゴミ袋、ゴミ入れ）、携帯電話機、花（造花、生花）、洗濯物（ランドリーバッグ）、眼鏡・サングラス、手紙類（はがき、封書）、ＣＤ・ＭＤ・ＤＶＤ・ＦＤ・各種メモリー類、喫煙具類（タバコ・ライター・パイプ用具類）、ペン類（筆記用具）、ブラシ・くし・手鏡、ドリンク類（ＰＥＴボトル入り、缶入り）、洗濯ばさみ・布団ばさみ、カトラリー類（フォーク・スプーン・ナイフ・箸）、靴・靴ベラ、おもちゃ、菓子類、アクセサリー類、芳香剤（消臭剤）・ポプリ、書籍類（本・雑誌・新聞類）、トイレットペーパー、ＡＶ機器リモコン、キッチンツール類（レードル・・スパチュラ・ピーラー・計量スプーン・オープナー・その他のキッチンツール）
【考案の効果】
【００１６】
請求項１に示す考案によれば、ホルダー自体が持つ装飾的効果及びキャラクター効果を有することにより、保持する物品容器がゴミ入れの如き物であっても、ホルダーの興趣性によって美観低下を抑制することができる。
【００１７】
請求項２〜６に示す考案によれば、種々の形状・構造の物品容器を保持することができる。
【００１８】
請求項７に示す考案によれば、種々の物品を入れる容器を保持することができる。
【考案を実施するための最良の形態】
【００１９】
図面に従って、本考案の実施例を詳細に説明する。
図１において、１０はホルダーであり、図示の実施例では動物キャラクターの縫ぐるみで構成されており、本体部分１１には、アーム１２とフック１３で形成される物品容器保持手段と、ホルダー１０を任意の壁或いは柱などに吊り下げるための吊下げ手段１４が備えられている。
【００２０】
実在或いは架空のキャラクターとしては、熊・猫・犬・猿・大熊猫などの実在の動物、これらをアレンジした架空のキャラクター、映画やＴＶのアニメーション或いは漫画などに由来する各種のキャラクターであって、フィギュアと呼ばれる範疇のものを包含する。これらのキャラクターは、後述する物品容器保持手段を配設する部分を備えている構成であることが好ましい。
【００２１】
キャラクターの種類によっては、本体部分１１は頭部と胴部に分かれることがあり、また、脚部を含むことがある。脚部は単なるアーム状の突起である態様も含む。図１に示した構成で説明すると、本体部分１１は、頭部１１Ａと胴部１１Ｂとから成り、また、本体部分１１から突出した形で前肢部分（前脚に同じ、以下同様）１１Ｃと後肢部分（後脚に同じ、以下同様）１１Ｄとが形成されており、全体としては、熊のキャラクターの縫ぐるみである。
【００２２】
図１に示した実施例では、アーム１２が前肢１１Ｃの内側に内装されているが、キャラクターの種類によっては、アーム１２が表面に剥き出しの状態であってもよい。このような態様では、アーム１２それ自体が何らかの表面形状・色彩で装飾的加工が施されていることが好ましい。
【００２３】
アーム１２は弾性を有する部材（プラスチック・金属など）で形成され、その先端に配設されているフック１３を矢符Ａ方向又はＢ方向に付勢して、物品容器２０を保持する。物品容器２０の保持は、該物品容器２０が備えている構造、例えば、切欠部や孔部２１、若しくは側面の間隙や孔部に係合させることによって行われる。
【００２４】
物品容器２０は、下記グループ（Ａ）から選ばれる物品を入れるものであり、該物品に合わせた構造を有する。
［グループ（Ａ）］
ゴミ（ゴミ箱、ゴミ袋、ゴミ入れ）、携帯電話機、花（造花、生花）、洗濯物（ランドリーバッグ）、眼鏡・サングラス、手紙類（はがき、封書）、ＣＤ・ＭＤ・ＤＶＤ・ＦＤ・各種メモリー類、喫煙具類（タバコ・ライター・パイプ用具類）、ペン類（筆記用具）、ブラシ・くし・手鏡、ドリンク類（ＰＥＴボトル入り、缶入り）、洗濯ばさみ・布団ばさみ、カトラリー類（フォーク・スプーン・ナイフ・箸）、靴・靴ベラ、おもちゃ、菓子類、アクセサリー類、芳香剤（消臭剤）・ポプリ、書籍類（本・雑誌・新聞類）、トイレットペーパー、ＡＶ機器リモコン、キッチンツール類（レードル・・スパチュラ・ピーラー・計量スプーン・オープナー・その他のキッチンツール）、その他の容器類。
【００２５】
図１に示す実施例では、アーム１２は、例えば熊の前肢１１Ｃの芯材として構成され、矢符Ａ方向に弾性を有する素材、例えば鋼鉄製或いは合成樹脂材又は両者の複合材などが用いられており、また、先端部にはフック１３が形成されている。
【００２６】
尚、アーム１２は、後述するように、全体として単一の部材である構成と、複数の部材で形成される構成の２つの態様がある。
【００２７】
図１に示した態様では、熊のキャラクターの縫ぐるみでホルダー１０が構成されており、その１対の前肢部分１１Ｃは、弾性を有する芯材によりアーム１２が構成され、矢符Ａ方向に付勢されている。従って、アーム１２先端のフック１３の部分を、物品容器２０の外面の口部近傍に形成されている孔部２１に図２に示すように差し込めば、アーム１２は矢符Ａ方向に付勢されているので、１対の前肢１１Ｃは開方向に開こうとするので、フック１３は物品容器２０の孔部２１に確固に係合し、物品容器２０は、１対の前肢部分１１Ｃにより吊下げ保持された状態となる。
【００２８】
上記のように物品容器２０をホルダー１０に保持させた状態で、頭部１１Ａに用意されている吊下げ紐１４により、フックないし突起が存在する任意の位置に吊下げることが可能となる。
【００２９】
尚、吊下げ紐１４に代えて、フックとする構成でもよいし、また、図１に仮想線で示すように、吊下げ紐１４にフック１５を用意しておく構成とすることもできる。勿論、フック１５に吊下げ紐１４を用意しておく構成でもよいし、更には吊下げ紐１４とフック１５とを独立して用意しておく構成でもよい。
【００３０】
物品容器２０の孔部が上記の孔部２１とは異なり外向きに形成されている場合には、フック１３を図１に示した実施例とは逆の向きに配設（図５参照）し、また、アーム１２の付勢力の方向を矢符Ｂ方向とする構成とすれば、孔部２２に対して矢符Ｃ方向からフック１３を差し込むことで図４に示すような状態となるため、ホルダー１０は物品容器２０を吊下げ保持することが可能となる。
【００３１】
上記した２つ構成は、前肢部分１１Ｃにアーム１２とフック１３を配設するのに代えて、後肢部分１１Ｄの側に配設する構成とすることができる。
【００３２】
図４〜図７に従って、アーム１２とフック１３で形成される物品容器保持手段を詳細に説明する。
【００３３】
図４は、図１に示した物品容器保持手段の内の１つであり、彎曲したアーム１２の両端部にフック１３が形成される態様である。この態様では、アーム１２とフック１３とは単一部材で形成され、アーム１２は、断面方形或いは円形の弾力性を有する例えば鋼製のバネ・合成樹脂製彎曲体などで形成され、矢符Ａ方向に付勢力を持っている。フック１３は、単にアーム１２の端部を折り曲げただけの構成でもよいし、先端を鋭利な状態で形成する構成であってもよい。
【００３４】
アーム１２は、その全長が、キャラクターの主要部分で構成されるホルダー本体部分１１（胴部１１Ｂ、前肢部分１１Ｃ又は後肢部分１１Ｄ）に内装される構成であっても、中央部の長さＬ部分を除いた部分がキャラクターに内装される構成であってもよい。
【００３５】
図５は、フック１３の方向と、付勢力の方向が矢符Ｂであることを除いて、図４に示した構成と同一である。
【００３６】
以上の実施例において、アーム１２は、フック１３に付勢力を付与するための構造であるから、単体である必要はなく、例えば、図４、５において、符号Ｌで示した長さ部分をカットして、彎曲した或いは真直ぐな１対のアームとし、その基端（フック１３がない側）をキャラクターホルダーの胴部１１Ｂに固定して、フック１３の部分に付勢力が働くように構成すれば、フック１２を単一部材としなければならないとする制約から解放される。
【００３７】
図６に示すように、アーム１２とフック１３とを別体に形成する構成とすることができる。この態様では、例えば、アーム１２を形成するのに弾性を有する鋼材を利用し、フック１３の部分をプレスチックス製とすることができる。この態様の利点は、フック１３の外形形状に大きな自由度が与えられることであり、例えば、図６に示すように、フック１３に様々な形状の係合部１３Ａと、アーム１２への連結構造１３Ｂを用意することができる。この態様の別な利点は、１対のフック１３は同一部材でよいことであり、例えば、アーム１２の端部を連結構造１３Ｂの穴に挿入すれば、矢符方向へ回動することで、どのような方向にも働くフックとすることが可能である。
【００３８】
図７には、フック１３の別な態様が示されている。図７のＡ図に示すフック１３には、鋭利なスパイク１３Ｃが、Ｂ図に示すフック１３には、先端側が鋭利な状態に形成されている扁平な舌片１３Ｄが備えられている。このような態様のフック１３は、取り付けようとする物品容器２０が、孔部２１・２２を持たない構造である場合に、スパイク１３Ｃや舌片１３Ｄを物品容器２０の外面に突き刺してアーム１２の先端を固定するもので、物品容器２０が容易に脱落しない構造とすることができる。
【００３９】
尚、図７のＡ図に示した構成のフック１３は、図１においてアーム１２が矢符Ｂ方向に付勢される態様の場合に利用することができ、また、図７のＢ図に示した構成のフック１３は、図１においてアーム１２の付勢方向が矢符Ａ方向と矢符Ｂ方向のどちらの場合にも利用することができる。
【図面の簡単な説明】
【００４０】
【図１】本考案の実施例を示す概略斜視図
【図２】フックによる保持状態の一例を示す要部斜視図
【図３】フックによる保持状態の他の例を示す要部斜視図
【図４】物品容器保持手段の第１例を示す平面図
【図５】物品容器保持手段の第２例を示す平面図
【図６】物品容器保持手段の第３例を示す斜視図
【図７】フックの他の実施例を示す斜視図
【符号の説明】
【００４１】
１０−ホルダー
１１−本体部分
１１Ａ−頭部
１１Ｂ−胴部
１１Ｃ−前肢部分
１１Ｄ−後肢部分
１２−アーム
１３−フック
１３Ａ−係合部
１３Ｂ−連結構造
１３Ｃ−スパイク
１３Ｄ−舌片
１４−吊下げ紐
１５−フック
２０−物品容器
２１−孔部
【図１】
0003111704.tif 000003
【図２】
0003111704.tif 000004
【図３】
0003111704.tif 000005
【図４】
0003111704.tif 000006
【図５】
0003111704.tif 000007
【図６】
0003111704.tif 000008
【図７】
0003111704.tif 000009